(57)【要約】【課題】排水の処理を行う排水処理装置において、排水中に浸漬される排水浸漬部材に付着した付着物を簡便かつ確実に除去することができる合理的な付着物除去技術を提供する。【解決手段】排水処理槽１において、担体流動生物濾過槽３０には、槽内のリン成分を除去するためのリン除去装置６０が設置されている。このリン除去装置６０の金属電極６２は、担体流動生物濾過槽３０内の排水中に浸漬された状態で、支持部材８０によって支持されるように構成されている。すなわち、一対の金属電極６２は、一対のスリット部８２に差込まれることによって支持部材８０の支持部８１ａを跨ぎ、電極保持具６１ごと支持部８１ａ上に載置される。そして、金属電極６２をスリット部８２から引き上げることで、金属電極６２の表面に付着した付着物とスリット部８２との当接作用によりこの付着物が除去される。【選択図】図２
2010042409.tif 000002
【特許請求の範囲】
【請求項１】
排水の処理を行う排水処理装置であって、
排水中に浸漬され排水容器側に着脱可能な排水浸漬部材と、前記排水浸漬部材に付着した付着物と当接する当接部材とを有し、前記排水浸漬部材と前記当接部材との相対移動によって前記付着物が除去されるように構成されていることを特徴とする排水処理装置。
【請求項２】
請求項１に記載した排水処理装置であって、
前記当接部材は、前記排水浸漬部材を挿入出可能で前記付着物と当接する挿入部を有し、前記排水浸漬部材を前記挿入部へ挿入出させることで、前記付着物が除去されるように構成されていることを特徴とする排水処理装置。
【請求項３】
請求項２に記載した排水処理装置であって、
前記排水浸漬部材は、金属電極であることを特徴とする排水処理装置。
【請求項４】
請求項３に記載した排水処理装置であって、
前記金属電極と前記挿入部との数が対応しており、前記金属電極は、前記挿入部へ挿入される際に各挿入部の間に形成される支持部を跨ぐように構成されていることを特徴とする排水処理装置。
【請求項５】
排水の処理を行う排水処理方法において、
排水中に浸漬され排水容器側に着脱可能な排水浸漬部材と、該排水浸漬部材に付着した付着物と当接する排水容器側の当接部材とを設け、前記排水浸漬部材と前記当接部材とを相対移動させ、前記当接部材を介して前記付着物を除去することを特徴とする排水処理方法。
【請求項６】
請求項５に記載した排水処理方法であって、
前記当接部材に前記排水浸漬部材を挿入出可能であり前記付着物と当接する挿入部を設け、前記排水浸漬部材を前記挿入部へ挿入出させることで、前記付着物を除去することを特徴とする排水処理方法。
【請求項７】
請求項６に記載した排水処理方法であって、
前記排水浸漬部材は、金属電極であることを特徴とする排水処理方法。
【請求項８】
請求項７に記載した排水処理方法であって、
前記金属電極と前記挿入部との数が対応しており、前記金属電極は、前記挿入部へ挿入される際に各挿入部の間に形成される支持部を跨ぐことを特徴とする排水処理方法。
【発明の詳細な説明】
【技術分野】
【０００１】
本発明は、排水処理技術に係り、詳しくは排水中に浸漬される排水浸漬部材に付着する付着物を除去する技術に関する。
【背景技術】
【０００２】
近年、環境対策への積極的な取り組みが進み、家庭用排水に含まれる窒素やリンが河川や湖の富栄養化に及ぼす影響が問題視されはじめている。そこで、排水中の窒素やリンを浄化する技術の開発が行われており、特に排水中のリン成分を電気分解法で除去する方法として、例えば、鉄の電解溶出法を用いた排水処理技術（特許文献１）が開示されている。この技術は、排水中のリン酸イオンを鉄イオンと反応させ、水不溶性の塩、例えばＦｅＰＯ4などのリン酸鉄として凝集沈殿させて除去する技術であり、電解槽中に設置された鉄製の金属電極に通電することで排水中に鉄イオンを溶出させるものである。そして、かかる電極溶解法を用いた排水処理装置として、従来、例えば嫌気槽、好気槽、処理水槽および消毒槽を有し、該処理水槽の排水を金属電極が設けられた電解槽を介して放流させるように構成されたものがある。この電解槽により、処理水槽の排水に含まれるリン成分の除去を行うことができる。
【先行技術文献】
【特許文献】
【０００３】
【特許文献１】特開平３−８９９９８号公報
【発明の概要】
【発明が解決しようとする課題】
【０００４】
上記構成の排水処理装置は、排水に含まれるリン成分の除去を効率よく行うことができる点において有効である。しかしながら、上記従来の排水処理装置において、金属電極の表面に生物膜等の付着物が付着すると、金属電極からの鉄イオンの溶出機能が阻害され、リン成分の安定した除去効果を得るのが難しいという問題がある。従って、定期的に電解槽から金属電極を取り出し、金属電極の表面に付着した付着物を除去する作業、例えば金属電極の表面をブラシによって擦る作業が必要であり面倒であった。なお、このような生物膜等の付着の問題は、上記のような金属電極に限らず排水中に浸漬される種々の浸漬部材に一般に発生するものである。
【０００５】
そこで、本発明は、以上のような点に鑑みてなされたものであり、その目的とするところは、排水の処理を行う排水処理装置において、排水中に浸漬される排水浸漬部材に付着した付着物を簡便かつ確実に除去することができる合理的な付着物除去技術を提供することである。
【課題を解決するための手段】
【０００６】
前記課題を解決するために、本発明の排水処理装置は請求項１〜４に記載の通りに構成されている。また、本発明の排水処理方法は請求項５〜８に記載の通りである。
【０００７】
請求項１に記載の排水処理装置において、排水浸漬部材は、排水中に浸漬され排水容器（側）に着脱させることができる。また、当接部材は、排水浸漬部材に付着した付着物と当接する。そして、当接部材と排水浸漬部材とが相対移動すると、その当接作用によって排水浸漬部材に付着した付着物が除去されることとなる。これにより、例えば、当接部材に対して排水浸漬部材を移動させることで付着物を除去することができるため、付着物の除去作業が簡便である。また、当接部材と排水浸漬部材とは実際に当接しており、この当接状態を好適に調整することで付着物の除去を確実に行うことができる。
なお、本発明の当接部材と排水浸漬部材との相対移動の移動方向としては、排水浸漬部材を排水容器に対して着脱させる際の移動方向と同一であることが好ましい。これにより、排水浸漬部材を着脱する操作に合わせて排水浸漬部材に付着した付着物を除去することができるため合理的である。
ここで、本発明でいう「排水浸漬部材」とは、排水処理設備において排水に浸漬される部材であって、例えば排水中のリン成分の電気分解除去に用いられる金属電極をはじめ、排水中の付着物が付着する種々の部材を広く含むものとする。また、「付着物」には、例えば、排水中の有機汚濁物質による生物膜や種々のスケール、またこれらが複合して形成されたもの等、排水中において浸漬部材に付着するものを広く含むものとする。
以上のように、請求項１に記載した排水処理装置によれば、排水浸漬部材に付着した付着物の除去を簡便かつ確実に行うことができる。
【０００８】
また、請求項２に記載の排水処理装置において、排水浸漬部材は当接部材の挿入部に挿入出させることができ、当接部材の挿入部は、排水浸漬部材に付着した付着物と当接する。そして、排水浸漬部材を挿入部へ挿入、挿出させることで、付着物が除去されることとなる。ここで当接部材の挿入部は、排水浸漬部材の形状に対応した大きさに形成され、排水浸漬部材の挿入状態において挿入部と排水浸漬部材との間に微小隙間を有していることが好ましい。これにより、排水浸漬部材が当接部材によって支持された挿入状態から挿出状態へ移動させる過程において、排水浸漬部材の表面に付着した付着物は挿入部と当接し、この挿入部の当接箇所によって排水浸漬部材の表面から除去されることとなる。
従って、請求項２に記載した排水処理装置によれば、排水浸漬部材に付着した付着物の除去を簡便かつ確実に行うことができるうえに、当接部材が、排水浸漬部材に付着した付着物を除去する機能と排水浸漬部材を支持する機能の両機能を有するため合理的である。
【０００９】
また、請求項３に記載の排水処理装置において、金属電極が排水中に浸漬されている。この金属電極としては、例えば、排水中のリン成分を除去するために用いられるリン除去装置の電気分解用金属電極がある。そして、この金属電極と当接部材との相対移動によって、金属電極に付着した付着物が除去される。これにより、金属電極に付着した付着物の除去を簡便かつ確実に行うことができ、付着物の除去によってリン除去装置の安定したリン除去性能が得られることとなる。
従って、請求項３に記載した排水処理装置を、例えば電気分解用の金属電極における付着物の除去に好適に用いることができる。
【００１０】
また、請求項４に記載の排水処理装置において、金属電極と挿入部との数が対応し、金属電極は挿入部へ挿入される際に各挿入部の間に形成される支持部を跨ぐようになっている。これにより、例えば、二片の金属電極に対応して当接部材の２箇所にスリット部（挿入部）が設けられている場合、金属電極を挿入部に挿入した状態では、金属電極は各スリット部間の支持部を跨いで安定的に支持されることとなる。そして、各スリット部間に形成された支持部は、金属電極を安定的に支持することができるうえに、排水容器内を流動する担体が例えば排水容器外へ流出するのを阻止することができる。
【００１１】
また、請求項５に記載の排水処理方法において、所定の操作を順次実施することによって、排水浸漬部材に付着した付着物の除去を簡便かつ確実に行うことができる。
【００１２】
また、請求項６に記載の排水処理方法において、所定の操作を順次実施することによって、排水浸漬部材に付着した付着物の除去を簡便かつ確実に行うことができるうえに、当接部材によって排水浸漬部材に付着した付着物を除去する機能と排水浸漬部材を支持する機能の両機能を得ることができるため合理的である。
【００１３】
また、請求項７に記載の排水処理方法において、所定の操作を順次実施することによって、金属電極に付着した付着物の除去を簡便かつ確実に行うことができ、例えばリン除去装置の安定したリン除去性能が得られることとなる。
従って、請求項７に記載した排水処理方法を、例えば電気分解用の金属電極における付着物の除去に好適に用いることができる。
【００１４】
また、請求項８に記載の排水処理方法において、所定の操作を順次実施することによって、各挿入部間に形成される支持部によって金属電極を安定的に支持することができるうえに、排水容器内を流動する担体が例えば排水容器外へ流出するのを阻止することができる。
【発明の効果】
【００１５】
以上説明したように、本発明によれば、排水の処理を行う排水処理装置において、排水中に浸漬される排水浸漬部材に付着した付着物を簡便かつ確実に除去することができる合理的な付着物除去技術を実現することができる。
【図面の簡単な説明】
【００１６】
【図１】本発明における一実施の形態の排水処理槽の概略を示す概略図である。
【図２】図１中のリン除去装置６０および支持部材８０の構成を示す斜視図である。
【図３】金属電極６２が支持部材８０に装着された状態を示す断面図である。
【図４】金属電極６２を支持部材８０から引き上げる途中の状態を示す断面図である。
【図５】別の実施の形態のリン除去装置６０および支持部材８０の構成等を示す断面図である。
【図６】別の実施の形態のリン除去装置６０および支持部材８０の構成等を示す斜視図である。
【発明を実施するための形態】
【００１７】
以下に、本発明における一実施の形態の排水処理槽の構成等を図面に基づいて説明する。なお、本実施の形態は、一般家庭等から排出される排水の排水処理（生物処理）を行う過程において、リン除去装置の金属電極に付着する付着物の除去技術について説明するものである。ここで、図１は本発明における一実施の形態の排水処理槽の概略を示す概略図である。また図２は、図１中のリン除去装置６０および支持部材８０の構成を示す斜視図である。
【００１８】
図１に示すように、本発明における排水処理装置としての排水処理槽１には、例えば一般家庭から排出された家庭用排水を排水処理槽１へ受入れるための流入管２と、浄化処理された処理水を排水処理槽１から放流するための放流管３が設けられ、流入管２から受入れられた排水は、排水処理槽１で連続的に浄化処理されるように構成されている。
【００１９】
排水処理槽１は、処理行程の順に対応して、上流（図１中の左側）から第１嫌気濾床槽１０、第２嫌気濾床槽２０、担体流動生物濾過槽３０（本発明における排水容器に対応している）、処理水槽４０、消毒槽５０を備えている。また、第１嫌気濾床槽１０と第２嫌気濾床槽２０とは仕切壁４によって区画され、第２嫌気濾床槽２０と担体流動生物濾過槽３０とは仕切壁５によって区画されている。また、担体流動生物濾過槽３０と処理水槽４０とは仕切壁６によって区画され、処理水槽４０と消毒槽５０とは越流堰７によって区画されている。
【００２０】
すなわち、流入管２から受入れられた排水は、まず第１嫌気濾床槽１０で処理され、次いで第１嫌気濾床槽１０から仕切壁４を越えて第２嫌気濾床槽２０へ移流し、第２嫌気濾床槽２０で処理される。また、第２嫌気濾床槽２０で処理された処理水は、仕切壁５を越えて担体流動生物濾過槽３０へ移流し、担体流動生物濾過槽３０で処理される。また、担体流動生物濾過槽３０で処理された処理水は処理水槽４０へ移流する。処理水槽４０内の処理水は、その一部はエアリフトポンプ７０を介して第１嫌気濾床槽１０へ戻され、残りは越流堰７を越えて消毒槽５０へ移流し、その後、放流管３から系外へ放流されるように構成されている。
処理水槽４０のエアリフトポンプ７０は、エアーリフト式の流体移送構造を有している。すなわち、エアリフトポンプ７０にエアー配管（図示省略）が接続されており、エアリフトポンプ７０にエアーが供給されることで、そのエアー流によって処理水槽４０の処理水が第１嫌気濾床槽１０へ移送されることとなる。
【００２１】
次に、排水処理槽１の各槽の構成を詳細に説明する。
まず、嫌気濾床槽１０，２０には各々濾床１１，２１が形成され、この濾床１１，２１には、有機汚濁物質を嫌気性分解する嫌気性微生物を着床させた所定量の濾材Ｃ１，Ｃ２が充填されている。そして、嫌気濾床槽１０，２０で処理された処理水は、各々濾床１１，２１を図１中の矢印方向へ降流するように構成されている。
また、消毒槽５０は消毒剤注入装置（図示省略）を備えており、放流する前の処理水を消毒するように構成されている。
【００２２】
担体流動生物濾過槽３０には、有機汚濁物質を好気性分解する好気性微生物を着床させた所定量の担体Ｃ３が槽内を流動できる程度に充填されている。この担体Ｃ３は、例えば粒状の中空円筒形に形成されている。担体Ｃ３の流動領域の上下には、流体の移動は許容するが担体Ｃ３の移動は防止する担体移動防止用部材（図示省略）が設けられている。また、担体流動生物濾過槽３０には、槽内へ好気性処理に用いるエアーを供給するための散気装置（図示省略）が設けられ、エアーが供給されることで担体Ｃ３は槽内を流動するように構成されている。
【００２３】
また、担体流動生物濾過槽３０には、槽内のリン成分を除去するためのリン除去装置６０が設置されている。このリン除去装置６０は、電極保持具６１に固定された一対（二片）の金属電極６２（本発明における排水浸漬部材に対応している）、給電用ケーブル６３、電源制御装置６４等を備え、この電源制御装置６４において発生する直流電流は、給電用ケーブル６３を介して金属電極６２へ供給されることとなる。なお、一対の金属電極６２の設置数は、処理される排水の量や性状等に応じて種々変更可能である。
【００２４】
電極保持具６１は、取っ手６１ｃを有する保持具本体６１ａ、この保持具本体６１ａに内蔵される端子類（図示省略）を密閉するための密閉蓋６１ｂ等によって構成されている。この保持具本体６１ａおよび密閉蓋６１ｂはともに合成樹脂材料、例えば塩化ビニル樹脂などの電気絶縁性材料によって作製されており、取っ手６１ｃへの漏電が遮断されている。
【００２５】
二片の金属電極６２はいずれも平板状に形成され、ほぼ平行に対向し、所定のクリアランスを有した状態で配置されている。そして、この二片の金属電極６２によって陽極および陰極が構成される。また、金属電極６２は、例えば鉄、鉄合金、アルミニウム、アルミニウム合金、鉄―アルミニウム合金等によって作製され、電源制御装置６４による通電時に排水中への金属イオン（鉄イオン、アルミニウムイオン等）の供給源となる。この金属イオンは、後述するようにリン酸イオンと反応することでリン成分の除去に用いられることとなる。また、電源制御装置６４には、金属電極６２の極性を所定時間毎、例えば２４時間毎に切り換えるための極性反転回路（図示省略）が設けられている。従って、各金属電極が陽極あるいは陰極となり得る。
【００２６】
図２に示すように、金属電極６２を支持する支持部材８０の平板部８１には、金属電極６２に対応した形状、間隔を有する一対のスリット部８２（本発明における挿入部に対応している）が設けられている。すなわち、金属電極６２とスリット部８２の数は対応している。また、各スリット部の間には、支持部８１ａが形成されている。この支持部材８０のスリット部８２は、スリット幅ｔ２が金属電極６２の厚みｔ１よりも若干広く（例えば、１ｍｍ程度広く）なるように構成されている。従って、スリット部８２に金属電極６２が挿入された状態では、スリット部８２と金属電極６２との間には微小隙間が形成される。また、各スリット部の間に支持部８１ａを形成し、しかもスリット部８２のスリット幅ｔ２は、担体Ｃ３の大きさよりも狭く形成されている。すなわち、担体流動生物濾過槽３０内の担体Ｃ３がスリット部８２から流出するのを防止するようになっている。
【００２７】
電極保持具６１に固定された金属電極６２は、担体流動生物濾過槽３０内の排水中に浸漬された状態で、支持部材８０によって支持されるように構成されている。すなわち、一対の金属電極６２は、一対のスリット部８２に差込まれることによって支持部材８０の支持部８１ａを跨ぎ、電極保持具６１ごと支持部８１ａ上に載置される。これにより、金属電極６２は支持部材８０に対して所定位置に支持されることとなる。また、金属電極６２は、図２中の矢印９０あるいは９２方向へ上下動可能であり、この上下動によってスリット部８２に対して挿入出される。
そして、後述するように、例えば金属電極６２をスリット部８２から引き上げる（挿出させる）ことで、金属電極６２の表面に付着した付着物とスリット部８２との当接作用によりこの付着物が除去されることとなる。このように、支持部材８０は金属電極６２を支持する機能と、金属電極６２の表面に付着した付着物を除去する機能の両機能を有する。
【００２８】
なお、スリット部８２に金属電極６２が挿入された際のスリット部８２と金属電極６２との間には微小隙間、すなわち金属電極６２の厚みｔ１とスリット部８２のスリット幅ｔ２との寸法差は、金属電極６２の付着物の除去状態、金属電極６２の挿入出のし易さ等、必要に応じて種々選択可能である。
【００２９】
次に、上記構成の排水処理槽１における排水処理過程において担体流動生物濾過槽３０の金属電極６２に付着した付着物を除去する手順について説明する。
【００３０】
まず、排水処理槽１における排水処理の概要について説明する。
排水処理槽１で排水を処理する場合は、流入管２から第１嫌気濾床槽１０へ排水を受入れ、各槽において順次処理していく。すなわち、排水中の有機汚濁物質は、嫌気濾床槽１０，２０の嫌気性微生物によって嫌気性分解され、次いで、担体流動生物濾過槽３０の好気性微生物によって好気性分解される。そして、処理水槽４０の処理水は消毒槽５０において消毒され、放流管３を介して系外へ放流される。
【００３１】
また、排水に含まれるリン成分は、担体流動生物濾過槽３０に設置されたリン除去装置６０によって除去される。すなわち、リン除去装置６０において、電源制御装置６４により金属電極６２へ直流電流が供給されると、電気分解によって陽極の金属から担体流動生物濾過槽３０の排水中へ金属イオン、例えば鉄イオンが溶出する。そして、この金属イオンは、排水中のリン成分と反応する。リン成分は一般にリン酸イオンとして排水に溶解しているので、溶出された金属イオンはリン酸イオンと反応して水に難溶性の金属リン酸塩が生成される。例えば、金属電極６２が鉄で作製されている場合には鉄イオンが溶出し、この鉄イオンがリン酸イオンと反応して水に難溶性のリン酸鉄（ＦｅＰＯ4など）が生成される。また、金属電極６２がアルミニウムで作製されている場合にはアルミニウムイオンが溶出し、このアルミニウムイオンがリン酸イオンと反応して水に難溶性のリン酸アルミニウムが生成される。このように、リン除去装置６０を用いてリン成分を含む排水を電気分解することによって、排水中のリン成分は水に難溶性の金属リン酸塩として析出し除去されることとなる。
【００３２】
次に、金属電極６２に付着した付着物（生物膜等）を除去する手順について図３および図４を参照しながら説明する。ここで、図３は金属電極６２が支持部材８０に装着された状態を示す断面図である。また、図４は金属電極６２を支持部材８０から引き上げる途中の状態を示す断面図である。
【００３３】
図３に示すように、金属電極６２が担体流動生物濾過槽３０の排水中に浸漬された状態では、排水中の有機汚濁物質等は金属電極６２の表面に生物膜Ｓ（本発明における付着物に対応している）として付着する。この生物膜Ｓを金属電極６２の表面から除去する場合には、保持具本体６１ａの取っ手６１ｃを手で掴み、図３中の矢印９０方向へ金属電極６２を引き上げる。この際、スリット部８２と金属電極６２との間には金属電極６２を挿入出可能な微小隙間しか形成されていないため、金属電極６２を引き上げると、図４に示すように、金属電極６２の表面に付着した生物膜Ｓはスリット部８２の内周面との当接作用によって除去される（剥離する）。なお、金属電極６２から除去される付着物は、生物膜Ｓ以外に種々の要因によって付着されたものであってもよい。このようにして、生物膜Ｓは金属電極６２の表面から除去されることとなる。なお、図４では、金属電極６２の表面から除去された生物膜Ｓを二点鎖線で示している。
なお、金属電極６２の種々の点検（定期点検など）を行う際に金属電極６２の着脱（引き上げ）操作を行うが、この金属電極６２の着脱操作に合わせて生物膜Ｓの除去をも行うことができるため合理的である。
【００３４】
以上のように構成した本実施の形態の排水処理槽１を用いた排水処理技術によれば、金属電極６２を支持部材８０から引き上げるのみで、スリット部８２によって金属電極６２の表面に付着する生物膜Ｓを除去することができるため、付着物（生物膜Ｓ等）の除去を簡便に行うことができる。特に、支持部材８０に対する金属電極６２の着脱操作と、金属電極６２の付着物除去操作を同時に行うことができるため合理的である。また、支持部材８０のスリット部８２と金属電極６２に付着する生物膜Ｓとの当接状態を好適に調整することで生物膜Ｓの除去を確実に行うことができる。
また、金属電極６２を支持する支持部材８０が付着物の除去機能をも有するため合理的である。そして、金属電極６２の表面に付着した付着物の除去を行うことで、リン除去装置６０の安定したリン除去性能を得ることができる。
また、各スリット部８２の間に形成される支持部８１ａによって金属電極６２を安定的に支持することができるうえに、スリット部８２および支持部８１ａの作用によって、担体Ｃ３が担体流動生物濾過槽３０外へ流出するのを阻止することができる。
【００３５】
〔他の実施の形態〕
なお、本発明は上記の実施の形態のみに限定されるものではなく、種々の応用や変形が考えられる。例えば、上記実施の形態を応用した次の各形態を実施することもできる。
【００３６】
（Ａ）上記実施の形態では、支持部材８０のスリット部８２を、金属電極６２に付着した付着物（生物膜Ｓ）を除去する手段として用いる場合について記載したが、金属電極６２の付着物の除去を別の部材を用いて行うこともできる。この例について図５を参照しながら説明する。ここで、図５は別の実施の形態のリン除去装置６０および支持部材８０等の構成を示す断面図である。なお、この図において図３中の要素と同一の要素には同一の符号を付している。
図５に示すように、支持部材８０の挿入孔８３の下面側に付着物除去部材１００が設置されている。この付着物除去部材１００はスリット部１０２を有し、このスリット部１０２は、本実施の形態のスリット部８２と同様の形状（スリット幅ｔ２）に形成されている。そして、金属電極６２をスリット部１０２から引き上げることで、金属電極６２とスリット部１０２との当接作用によって、金属電極６２に付着した付着物が除去されることとなる。
【００３７】
（Ｂ）また、上記実施の形態では、金属電極６２に付着した付着物（生物膜Ｓ）を除去する際に、金属電極６２を支持部材８０に対して上下方向へスライドさせる場合について記載したが、金属電極６２と支持部材８０との相対移動の方向は上下方向に限定されない。例えば、金属電極６２を支持部材８０に対して左右方向へスライドさせることで、金属電極６２の表面に付着した付着物を除去するように構成することもできる。この例について図６を参照しながら説明する。ここで、図６は別の実施の形態のリン除去装置６０および支持部材８０等の構成を示す斜視図である。なお、この図において図２中の要素と同一の要素には同一の符号を付している。
図６に示すように、支持部材８０には、本実施の形態のスリット部８２と同様のスリット幅ｔ２を有し、金属電極６２を電極保持具６１ごと図中の実線位置から二点鎖線で示す位置までスライドさせることができる長さのスリット部８４が設けられている。また、支持部材８０の下面側においてスリット部８４のほぼ中央位置には、付着物除去部材１１０が設置されている。そして、金属電極６２を電極保持具６１ごと支持部材８０に対してスライドさせることで、金属電極６２の表面の付着物と付着物除去部材１１０とが当接し、これにより金属電極６２に付着した付着物が除去されることとなる。
【００３８】
（Ｃ）また、上記実施の形態では、金属電極６２の表面に付着した付着物を除去する際に、支持部材８０に対し金属電極６２を移動させる場合について記載したが、金属電極６２に対し支持部材８０を移動させるように構成することもできる。
【００３９】
（Ｄ）また、上記実施の形態では、金属電極６２とスリット部８２の数が対応している場合について記載したが、金属電極６２とスリット部８２の数は対応していなくてもよい。例えば、１つのスリット部に一対の金属電極を挿入出させるように構成することもできる。
【００４０】
（Ｅ）また、上記実施の形態では、金属電極６２に付着した付着物（生物膜Ｓ）を除去する場合について記載したが、付着物の除去対象は金属電極６２に限定されず、本発明を排水中に浸漬した種々の浸漬部材に付着する付着物の除去に適用することができる。
【００４１】
（Ｆ）また、上記実施の形態では、担体流動生物濾過槽３０にリン除去装置６０を設置する場合について記載したが、リン除去装置６０の設置箇所はこれに限定されない。このリン除去装置６０を、例えば、接触曝気槽、活性汚泥法における曝気槽、また好気処理等の生物処理を行わない嫌気処理槽や溶出槽などに設置することもできる。
【００４２】
（Ｇ）また、上記実施の形態では、支持部材８０に対して金属電極６２を移動させる操作を手動操作で行う場合について記載したが、この操作を機械式操作で行うように構成することもできる。
【００４３】
なお、以上説明してきた本実施の形態では、金属電極６２の表面に付着した付着物を除去する場合について記載したが、金属電極６２自体を支持部材８０によって支持する形態の説明に鑑みた場合、本発明では、以下の構成を採り得る。すなわち、「排水の処理を行う排水処理装置であって、排水中に浸漬され排水容器側に着脱可能な金属電極と、該金属電極を挿入出可能なスリット部を備えた支持部材とを有し、前記金属電極と前記スリット部との数が対応しており、前記金属電極は、前記スリット部へ挿入される際に各スリット部の間に形成される支持部を跨ぐように構成されていることを特徴とする排水処理装置。」という構成が考えられる。すなわち、金属電極はスリット部へ挿入される際に各スリット部の間に形成される支持部を跨ぐようになっている。これにより、金属電極をスリット部に挿入した状態では、金属電極は支持部を跨いで安定的に支持されることとなる。従って、排水の処理を行う排水処理装置において、排水中に浸漬される金属電極のより確実な支持構造を実現することができる。そして、金属電極が支持部を跨ぐ構成ゆえ、支持部材が支持部によって部分的に閉塞され、排水容器内を流動する担体が例えば排水容器外へ流出することが阻止される。
【符号の説明】
【００４４】
１…排水処理槽（排水処理装置）
１０…第１嫌気濾床槽
２０…第２嫌気濾床槽
３０…担体流動生物濾過槽
４０…処理水槽
５０…消毒槽
６０…リン除去装置
６２…金属電極（排水浸漬部材）
８０…支持部材（当接部材）
８１…平板部、８１ａ…支持部
８２，８４，１０２…スリット部（挿入部）
１００，１１０…付着物除去部材
Ｓ…生物膜（付着物）
【図１】
2010042409.tif 000003
【図２】
2010042409.tif 000004
【図３】
2010042409.tif 000005
【図４】
2010042409.tif 000006
【図５】
2010042409.tif 000007
【図６】
2010042409.tif 000008